【手続補正書】
【提出日】平成29年12月22日(2017.12.22)
【手続補正１】
【補正対象書類名】明細書
【補正対象項目名】０００７
【補正方法】変更
【補正の内容】
【０００７】
本発明に係る電子機器は、表示手段と、前記表示手段と対象物との距離を検出する検出手段と、前記検出手段により検出された前記表示手段と前記対象物との距離に応じて前記表示手段の動作モードを切り替える制御手段と、を備え、前記動作モードは、少なくとも、前記表示手段での表示を行う表示モードと、前記表示モードよりも消費電力の小さい第１の省電力モード及び第２の省電力モードを含み、前記第２の省電力モードは、前記第１の省電力モードよりも消費電力が大きく、前記第２の省電力モードから前記表示モードへの移行時間が前記第１の省電力モードから前記表示モードへの移行時間よりも短く、前記制御手段は、前記表示手段を、前記表示手段に対して前記対象物が、予め定められた第１の距離より近い位置にある場合に前記表示モードに設定し、前記第１の距離より遠く、且つ、予め定められた第２の距離より近い位置にある場合に前記第２の省電力モードに設定し、前記第２の距離より遠い位置にある場合に前記第１の省電力モードに設定することを特徴とする。
【手続補正２】
【補正対象書類名】特許請求の範囲
【補正対象項目名】全文
【補正方法】変更
【補正の内容】
【特許請求の範囲】
【請求項１】
表示手段と、
前記表示手段と対象物との距離を検出する検出手段と、
前記検出手段により検出された前記表示手段と前記対象物との距離に応じて前記表示手段の動作モードを切り替える制御手段と、を備え、
前記動作モードは、少なくとも、前記表示手段での表示を行う表示モードと、前記表示モードよりも消費電力の小さい第１の省電力モード及び第２の省電力モードを含み、
前記第２の省電力モードは、前記第１の省電力モードよりも消費電力が大きく、前記第２の省電力モードから前記表示モードへの移行時間が前記第１の省電力モードから前記表示モードへの移行時間よりも短く、
前記制御手段は、前記表示手段を、前記表示手段に対して前記対象物が、予め定められた第１の距離より近い位置にある場合に前記表示モードに設定し、前記第１の距離より遠く、且つ、予め定められた第２の距離より近い位置にある場合に前記第２の省電力モードに設定し、前記第２の距離より遠い位置にある場合に前記第１の省電力モードに設定することを特徴とする電子機器。
【請求項２】
前記表示手段の駆動電圧を生成する生成手段を更に備え、
前記第１の省電力モードでは、前記生成手段は前記駆動電圧を生成せず、
前記第２の省電力モードでは、前記生成手段は、前記駆動電圧を生成し、前記生成した駆動電圧を前記表示手段に供給しないことを特徴とする請求項１に記載の電子機器。
【請求項３】
前記表示手段の駆動電圧を生成する生成手段と、
前記表示手段を駆動する駆動手段と、を更に備え、
前記第１の省電力モードでは、前記生成手段は前記駆動電圧を生成せず、且つ、前記駆動手段は前記表示手段を駆動せず、
前記第２の省電力モードでは、前記生成手段は前記駆動電圧を生成して前記表示手段に供給し、前記駆動手段は前記表示手段を駆動しないことを特徴とする請求項１に記載の電子機器。
【請求項４】
前記表示手段は液晶表示パネルと照明装置とを備え、
前記生成手段は、液晶表示パネルと照明装置との少なくとも１つの駆動電圧を生成することを特徴とする請求項２に記載の電子機器。
【請求項５】
前記表示手段の輝度を調整する調光手段を更に備え、
前記第１の省電力モードでは、前記制御手段は前記表示手段を表示させず、
前記第２の省電力モードでは、前記制御手段は前記表示手段を表示させ、前記調光手段は前記表示手段の輝度を前記表示モードにおける輝度よりも低輝度に調整することを特徴とする請求項１に記載の電子機器。
【請求項６】
前記表示手段に表示する画像の階調を補正する補正手段を更に備え、
前記第１の省電力モードでは、前記制御手段は前記表示手段を表示させず、
前記第２の省電力モードでは、前記制御手段は前記表示手段を表示させ、前記補正手段は前記表示モードにおける表示画像の階調特性と比較して表示画像の明部の諧調を相対的に高くするよう補正することを特徴とする請求項１に記載の電子機器。
【請求項７】
前記表示手段は、赤、緑、青および白の表示画素を有し、
前記第１の省電力モードでは、前記制御手段は前記表示手段を表示させず、
前記第２の省電力モードでは、前記制御手段は、前記表示手段を表示させ、前記白の表示画素の表示輝度への寄与率を前記表示モードにおける寄与率よりも高めることを特徴とする請求項１に記載の電子機器。
【請求項８】
前記表示手段に対するタッチ操作を検出する操作検出手段を更に備え、
前記制御手段は、前記操作検出手段によるタッチ操作の検出機能を、前記表示手段が表示状態にあるときには有効とし、前記表示手段が非表示状態にあるときには無効とすることを特徴とする請求項１乃至７のいずれか１項に記載の電子機器。
【請求項９】
前記第１の距離に対応する第１の閾値と、前記第２の距離に対応する第２の閾値とを設定する設定手段を備え、
前記制御手段は、前記検出手段からの検出値と前記第１の閾値および前記第２の閾値とを比較して前記表示手段から前記対象物までの距離を判定することで、前記表示手段の動作モードを前記表示モードと前記第１の省電力モードと前記第２の省電力モードとの間で切り替えることを特徴とする請求項１乃至８のいずれか１項に記載の電子機器。
【請求項１０】
前記第１の距離は、前記対象物と前記表示手段が相対的に離れているときには、前記対象物と前記表示手段が相対的に接近しているときよりも長く設定されることを特徴とする請求項１乃至９のいずれか１項に記載の電子機器。
【請求項１１】
前記第２の距離は、前記対象物と前記表示手段が相対的に離れているときには、前記対象物と前記表示手段が相対的に接近しているときよりも長く設定されることを特徴とする請求項１乃至８のいずれか１項に記載の電子機器。
【請求項１２】
第１の表示手段と、
第２の表示手段と、
前記第１の表示手段と対象物との距離を検出する検出手段と、
前記検出手段により検出された前記第１の表示手段と前記対象物との距離に応じて前記第１の表示手段および前記第２の表示手段の動作モードを切り替える制御手段と、を備え、
前記第１の表示手段と前記第２の表示手段はそれぞれ、前記動作モードとして、少なくとも、表示を行う表示モードと、前記表示モードよりも消費電力の小さい第１の省電力モード及び第２の省電力モードを含み、
前記第２の省電力モードは、前記第１の省電力モードよりも消費電力が大きく、第２の省電力モードから前記表示モードへの移行時間が前記第１の省電力モードから前記表示モードへの移行時間よりも短く、
前記制御手段は、前記第１の表示手段に対して前記対象物が、予め定められた第１の距離より近い位置にある場合に前記第１の表示手段を前記表示モードに設定すると共に前記第２の表示手段を前記第１の省電力モードに設定し、前記第１の距離より遠く、且つ、予め定められた第２の距離より近い位置にある場合に前記第１の表示手段を前記表示モードに設定すると共に前記第２の表示手段を前記第２の省電力モードまたは前記表示モードに設定し、前記第２の距離より遠く、且つ、予め定められた第３の距離より近い位置にある場合に前記第１の表示手段を前記第２の省電力モードまたは前記表示モードに設定すると共に前記第２の表示手段を前記表示モードに設定し、前記第３の距離より遠い位置にある場合に前記第１の表示手段を前記第１の省電力モードに設定すると共に前記第２の表示手段を前記表示モードに設定することを特徴とする電子機器。
【請求項１３】
前記電子機器は、撮像装置であり、
前記第１の表示手段は、電子ビューファインダであり、
前記第２の表示手段は、前記撮像装置の本体の背面に設けられたディスプレイであることを特徴とする請求項１２に記載の電子機器。
【請求項１４】
前記第２の表示手段の駆動電圧を生成する生成手段を更に備え、
前記第２の表示手段が前記第１の省電力モードにあるとき、前記生成手段は前記駆動電圧を生成せず、
前記第２の表示手段が前記第２の省電力モードにあるとき、前記生成手段は前記駆動電圧を生成し、前記生成した駆動電圧を前記第２の表示手段に供給しないことを特徴とする請求項１３に記載の電子機器。
【請求項１５】
前記第２の表示手段の駆動電圧を生成する生成手段と、
前記第２の表示手段を駆動する駆動手段と、を更に備え、
前記第１の省電力モードでは、前記生成手段は前記駆動電圧を生成せず、且つ、前記駆動手段は前記第２の表示手段を駆動せず、
前記第２の省電力モードでは、前記生成手段は前記駆動電圧を生成して前記第２の表示手段に供給し、且つ、前記駆動手段は前記第２の表示手段を駆動しないことを特徴とする請求項１３に記載の電子機器。
【請求項１６】
前記第２の表示手段は、照明装置を備えた液晶型表示装置であり、
前記生成手段は、液晶素子の駆動電圧及びバックライト駆動電圧の少なくとも１つを生成することを特徴とする請求項１４に記載の電子機器。
【請求項１７】
前記第２の表示手段の輝度を調整する調光手段を更に備え、
前記第２の表示手段が前記第１の省電力モードにあるとき、前記制御手段は前記第２の表示手段を表示させず、
前記第２の表示手段が前記第２の省電力モードにあるとき、前記制御手段は前記第２の表示手段を表示させ、前記調光手段は表示画像の輝度を前記表示モードにおける輝度よりも低輝度に調整することを特徴とする請求項１３に記載の電子機器。
【請求項１８】
前記第２の表示手段に表示する画像の階調を補正する補正手段を更に備え、
前記第２の表示手段が前記第１の省電力モードにあるとき、前記制御手段は前記第２の表示手段を表示させず、
前記第２の表示手段が前記第２の省電力モードにあるとき、前記制御手段は前記第２の表示手段を表示させ、前記補正手段は前記表示モードにおける表示画像の階調特性と比較して表示画像の明部の階調を相対的に高くするよう補正することを特徴とする請求項１３に記載の電子機器。
【請求項１９】
前記第２の表示手段は、赤、緑、青および白の表示画素を有し、
前記第２の表示手段が前記第１の省電力モードにあるとき、前記制御手段は、前記第２の表示手段を表示させず、
前記第２の表示手段が前記第２の省電力モードにあるとき、前記制御手段は、前記第２の表示手段を表示させ、前記白の表示画素の表示画像への寄与率を前記表示モードにおける寄与率よりも高めることを特徴とする請求項１３に記載の電子機器。
【請求項２０】
前記第２の表示手段に対するタッチ操作を検出する操作検出手段を更に備え、
前記制御手段は、前記操作検出手段によるタッチ操作の検出機能を、前記第２の表示手段が表示状態にあるときには有効とし、前記第２の表示手段が非表示状態にあるときには無効とすることを特徴とする請求項１２乃至１９のいずれか１項に記載の電子機器。
【請求項２１】
前記第１の距離に対応する第１の閾値と、前記第２の距離に対応する第２の閾値と、前記第３の距離に対応する第３の閾値とを設定する設定手段を備え、
前記制御手段は、前記検出手段からの検出値と前記第１の閾値、前記第２の閾値および前記第３の閾値とを比較して前記第１の表示手段から前記対象物までの距離を判定することで、前記第１の表示手段と前記第２の表示手段のそれぞれの動作モードを前記表示モードと前記第１の省電力モードと前記第２の省電力モードとの間で切り替えることを特徴とする請求項１２乃至２０のいずれか１項に記載の電子機器。
【請求項２２】
前記第１の距離は、前記対象物と前記第１の表示手段が相対的に離れているときには、前記対象物と前記第１の表示手段が相対的に接近しているときよりも長く設定されることを特徴とする請求項１２乃至２１のいずれか１項に記載の電子機器。
【請求項２３】
前記第２の距離は、前記対象物と前記第１の表示手段が相対的に離れているときには、前記対象物と前記第１の表示手段が相対的に接近しているときよりも長く設定されることを特徴とする請求項１２乃至２２のいずれか１項に記載の電子機器。
【請求項２４】
前記第３の距離は、前記対象物と前記第１の表示手段が相対的に離れているときには、前記対象物と前記第１の表示手段が相対的に接近しているときよりも長く設定されることを特徴とする請求項１２乃至２３のいずれか１項に記載の電子機器。
【請求項２５】
表示装置を備える電子機器における表示制御方法であって、
前記表示装置から対象物までの距離について、第１の距離と、前記第１の距離よりも長い第２の距離とを設定する設定ステップと、
前記表示装置と前記対象物との距離を検出する検出ステップと、
前記検出ステップで検出された前記表示装置と前記対象物との距離に応じて前記表示装置の動作モードを、画像表示を行う表示モードと、前記表示モードよりも消費電力が小さい第１の省電力モードと、前記表示モードよりも消費電力が小さく、且つ、前記第１の省電力モードよりも消費電力が大きく、前記表示モードへの移行時間が前記第１の省電力モードから前記表示モードへの移行時間よりも短い第２の省電力モードとの間で切り替える制御ステップと、を有し、
前記制御ステップでは、
前記対象物が前記表示装置から前記第１の距離より近い位置にある場合に、前記表示装置は前記表示モードに設定され、
前記対象物が前記表示装置から前記第１の距離より遠く、且つ、前記第２の距離より近い位置にある場合に、前記表示装置は第２の省電力モードに設定され、
前記対象物が前記表示装置から前記第２の距離より遠い位置にある場合に、前記表示装置は第１の省電力モードに設定されることを特徴とする表示制御方法。
【請求項２６】
第１の表示装置と第２の表示装置とを備える電子機器における表示制御方法であって、
前記第１の表示装置から対象物まで距離について、第１の距離と、前記第１の距離よりも長い第２の距離と、前記第２の距離よりも長い第３の距離を設定する設定ステップと、
前記第１の表示装置と前記対象物との間の距離を検出する検出ステップと、
前記検出ステップで検出した前記第１の表示装置と前記対象物との距離に応じて前記第１の表示装置と前記第２の表示装置のそれぞれの動作モードを、画像表示を行う表示モードと、前記表示モードよりも消費電力が小さい第１の省電力モードと、前記表示モードよりも消費電力が小さく、且つ、前記第１の省電力モードよりも消費電力が大きく、前記表示モードへの移行時間が前記第１の省電力モードから前記表示モードへの移行時間よりも短い第２の省電力モードとの間で切り替える制御ステップと、を有し、
前記制御ステップでは、
前記対象物が前記第１の表示装置から前記第１の距離より近い位置にある場合に、前記第１の表示装置は前記表示モードに設定されると共に前記第２の表示装置は前記第１の省電力モードに設定され、
前記対象物が前記第１の表示装置から前記第１の距離より遠く且つ前記第２の距離より近い位置にある場合に、前記第１の表示装置は前記表示モードに設定されると共に前記第２の表示装置は第２の省電力モードまたは前記表示モードに設定され、
前記対象物が前記第１の表示装置から前記第２の距離より遠く且つ予め定められた第３の距離より近い位置にある場合に、前記第１の表示装置は前記第２の省電力モードまたは前記表示モードに設定されると共に前記第２の表示装置は前記表示モードに設定され、
前記対象物が前記第１の表示装置から前記第３の距離より遠い位置にある場合に、前記第１の表示装置は前記第１の省電力モードに設定されると共に前記第２の表示装置は前記表示モードに設定されることを特徴とする表示制御方法。
【手続補正３】
【補正対象書類名】図面
【補正対象項目名】図９
【補正方法】変更
【補正の内容】
【図９】
2016126234.tif 000001